(57)【特許請求の範囲】
【請求項１】
ポンプの一次側に吸口を設けその二次側に放口を設けた可搬ポンプに着脱されるポンププロポーショナー装置を用いる消火薬剤の混合方法であって、
前記ポンププロポーショナー装置は、一端に前記吸口が接続され、他端に吸管が接続され、前記両端間にポンププロポーショナー本体が接続される吸口継手と、一端に前記放口が接続され、他端に消火ホースが接続され、前記両端間に駆動水開閉コックが接続される放口継手と、前記駆動水開閉コックと前記ポンププロポーショナー本体とを連通させる駆動水ホースと、前記ポンププロポーショナー本体の吸引混合部に、開閉流量調整コックを介して連通するピックアップチューブと、を備えており、
前記ポンププロポーショナー装置の前記吸口継手を前記可搬ポンプの吸口に接続し、前記放口継手を前記可搬ポンプの放口に接続し、駆動水ホースによるバイパスを形成する行程と、
前記開閉流量調整コックに接続されたピックアップチューブの自由端を、消火薬剤が充填されている消火薬剤タンクに挿入する行程と、
前記駆動水開閉コック及び前記開閉流量調整コックを閉にして可搬ポンプを始動させ、一次側を真空状態にして消火水を吸い上げる行程と、
前記吸い上げられた消火水が前記吸口に到達するとともに、前記吸口継手内を通って前記放口から前記放口継手内を通って排出される行程と、
前記駆動水開閉コック及び開閉流量調整コックを開にし、前記駆動水ホースに駆動水を導入して循環させるとともに、ポンププロポーショナー本体の吸引混合部に前記タンク内の消火薬剤を吸引させて前記駆動水に混入させ、前記吸口継手内に排出させる行程と、
を備えていることを特徴とする可搬ポンプの消火水・消火薬剤の混合方法。
【請求項２】
前記開閉流量調整コックが、メタリングコックであることを特徴とする請求項１記載の可搬ポンプの消火水・消火薬剤の混合方法。
【請求項３】
前記メタリングコックに、３％混合用のピックアップチューブ接続口と０．１％混合用のピックアップチューブ接続口が一対設けられていることを特徴とする請求項２記載の可搬ポンプの消火水・消火薬剤の混合方法。
【発明の詳細な説明】
【技術分野】
【０００１】
この発明は、消火に用いられる可搬ポンプに関するものであり、更に述べると、消火水に消火薬剤を混合するための、可搬ポンプの消火水・消火薬剤の混合方法に関するものである。
【０００２】
消火剤として、消火水の他に、消火水に少量、例えば、１％〜３％の界面活性剤等の消火薬剤を混入した混合消火剤が用いられている。この様な混合薬剤が用いられる理由は、次の通りである。
例えば、消火薬剤１％の混合消火剤を用いると、被燃焼物が燃えにくくなり、消火を早めることができるので、水損を少なくすることができる。
又、例えば、消火薬剤３％の混合消火剤を用いると、発泡するので、この泡で被燃焼物を覆って窒息消火させることができる。この泡消火は、水を使えない油火災において、特に有効である。
【０００３】
消防隊等が使用する消防ポンプ車には、吸口（吸水口）と中継口及び放口（吐水口）が設けられており、前記泡消火を行う場合には、ポンププロポーショナー装置を消防ポンプ車に連結することにより、消火水に消火薬剤を混合している。
【０００４】
このプロポーショナー装置は、ポンププロポーショナー本体と、駆動水ホースと、ピックアップチューブと、を備えている。
そして、前記装置を前記消防ポンプ車にセッテングする場合には、前記中継口にポンププロポーショナー本体を接続し、該プロポーショナー本体と放口とを駆動水ホースにより連結してバイパス通路を形成する。
この状態でポンプを運用すると、該ポンプの水が駆動水ホースを介して循環し、前記ポンププロポーショナー装置のジェットノズルより噴出される水流で、負圧が生じて消火薬剤が吸引され前記消火水に混入される。
【０００５】
消防ポンプ車は、消火水のみ放水する場合と、消火水に消火薬剤を混入させて放出する場合とを、自由に選択することができるので、油火災等の各種の火災状況に対応する、最適な消火を行うことができる。
【０００６】
ところで、火災の際には、地域の小規模な消防団なども消火活動を行うが、この様な消防団では、中継口のない消防用のポンプは備えているが、消防ポンプ車は備えていない。そこで、該ポンプを火災現場に搬送する場合には、手で持ったり、リヤカー等の荷物車に載置して搬送している。ここでは、この様に中継口の無く、かつ、搬送可能なポンプを「可搬ポンプ」と定義することにする。
【発明の開示】
【発明が解決しようとする課題】
【０００７】
前述のように、可搬ポンプは、消防ポンプ車と異なり、中継口を備えていない。そのため、該消防ポンプ車に用いた前記ポンププロポーショナー装置を利用して消火薬剤を消火水に混入することができない。
【０００８】
この発明は、上記事情に鑑み、可搬ポンプに使用できるポンププロポーショナー装置を得ることである。他に目的は、前記可搬ポンプでも消火水に消火薬剤を混合ができるようにすることである。
【課題を解決するための手段】
【０００９】
この発明は、ポンプの一次側に吸口を設けその二次側に放口を設けた、可搬ポンプに着脱されるポンププロポーショナー装置を用いる消火薬剤の混合方法であって、前記ポンププロポーショナー装置は、一端に前記吸口が接続され、他端に吸管が接続され、前記両端間にポンププロポーショナー本体が接続される吸口継手と、一端に前記放口が接続され、他端に消火ホースが接続され、前記両端間に駆動水開閉コックが接続される放口継手と、前記駆動水開閉コックと前記ポンププロポーショナー本体とを連通させる駆動水ホースと、前記ポンププロポーショナー本体の吸引混合部に、開閉流量調整コックを介して連通するピックアップチューブと、を備えており、前記ポンププロポーショナー装置の前記吸口継手を前記可搬ポンプの吸口に接続し、前記放口継手を前記可搬ポンプの放口に接続し、駆動水ホースによるバイパスを形成する行程と、前記開閉流量調整コックに接続されたピックアップチューブの自由端を、消火薬剤が充填されている消火薬剤タンクに挿入する行程と、前記駆動水開閉コック及び前記開閉流量調整コックを閉にして可搬ポンプを始動させ、一次側を真空状態にして消火水を吸い上げる行程と、前記吸い上げられた消火水が前記吸口に到達するとともに、前記吸口継手内を通って前記放口から前記放口継手内を通って排出される行程と、前記駆動水開閉コック及び開閉流量調整コックを開にし、前記駆動水ホースに駆動水を導入して循環させるとともに、ポンププロポーショナー本体の吸引混合部に前記タンク内の消火薬剤を吸引させて前記駆動水に混入させ、前記吸口継手内に排出させる行程と、を備えていることを特徴とする。
【００１０】
この発明の前記開閉流量調整コックが、メタリングコックであることを特徴とする。この発明の前記メタリングコックに、３％混合用のピックアップチューブ接続口と０．１％混合用のピックアップチューブ接続口が一対設けられていることを特徴とする。
【発明の効果】
【００１３】
この発明は、以上のように構成したので、吸口継手を吸口に接続し、放口継手を放口に接続することにより、中継口を備えていない可搬ポンプでも、簡単に、消火水に消火薬剤を混合することができる。
【発明を実施するための最良の形態】
【００１４】
この発明の実施の形態を図１〜８により説明する。
可搬ポンプ装置ｐｄの可搬ポンプｐの一次側には、吸口４ａが設けられ、その二次側には放口１ａが設けられている。前記ポンプｐに着脱されるポンププロポーショナー装置ｐｐは、吸口継手４と、放口継手１と、前記両継手１，４を連結し、バイパスを形成する駆動水ホース９と、前記吸口継手４に接続されているプロポーショナー本体２と、該プロポーショナー本体２に接続されている開閉流量調整コック、例えば、メタリングコック２０と、前記メタリングコック２０に接続されるピックアップチューブ８と、を備えている。
【００１５】
吸口継手４の一端には、前記吸口４ａに接続される吸口接続部４ｂが設けられ、その他端には吸管１４に接続される吸管接続部４ｃが設けられ、又、前記吸口継手４の軸方向に対する直交方向には、プロポーショナー接続部４ｄが設けられている。
【００１６】
放口継手１の一端には、前記放口１ａに接続される放口接続部１ｂが設けられ、その他端には消防ホース１６に接続されるホース接続部１ｃが設けられ、又、前記放口継手１の軸方向に対する直交方向には、駆動水開閉コック１０が設けられている。このコック１０には、入口側ホース取付部１０ａが設けられている。
【００１７】
プロポーショナー本体２の一端には、前記プロポーショナー接続部４ｄに接続されるねじ部２ａが設けられ、その他端には、駆動水ホース９の出口側ホース取付部２ｂが設けられ、又、その中間部２ｍには、コック接続部であるメタリング接続継手５が突設されている。この中間部２ｍ内には、ノズル３が設けられ、このノズル３の噴射により負圧が発生し、駆動水に消火薬剤が混合されるので、この中間部２ｍは所謂吸引混合部をなしている。（この中間部２ｍを「吸引混合部」と言うこともある）。
【００１８】
前記プロポーショナー本体２は、メタリング継手５を介して開閉流量調整コック、例えば、メタリングコック２０に連結されている。
このメタリングコック２０は、円筒状のハウジング１８と、該ハウジング１８に回動可能に挿着されたメタリングコック本体２０ａと、該ハウジング１８の外周面に突設された、ピックアップチューブ８の接続口２２ａ、２２ｂと、前記接続口２２ａ、２２ｂを閉鎖する閉止蓋２４と、を備えている。
【００１９】
メタリングコック本体２０ａの円筒状部には、複数の小孔２０ｂ、２０ｃが設けられている。前記小孔２０ｂは、小孔２０ｃより口径が大きく、例えば、小径２０ｂは消火薬剤３％の混合比率の場合に開にされ、又、小孔２０ａは消火薬剤０．１％の混合比率の場合に開にされる。
【００２０】
前記ピックアップチューブ接続口２２ａ、２２ｂは、ハウジング１８の長手方向に対して直交方向に一対配設されている。前記接続口２２ａ、２２ｂは構成は同一であるが、メタリングコック２０の小孔２０ｂ、２０ｃ位置との関係で、接続口２２ａは、消火水に対する消火薬剤の混合比が小さい場合、例えば、０．１％にする場合に用いられ、又、接続口２２ｂは、前記混合比が大きい場合、例えば、３％にする場合に用いられる。
前記接続口２２ａ、２２ｂの内周面には、ねじ部が形成されているが、このねじ部には、前記チューブ８や閉止蓋２４が螺着される。
【００２１】
なお、図において、２６は逆止弁ボール、２８はシールリング、３０はＯリング、３１は円筒型オリフイス、３２ａ、３２ｂは混合比設定マーク、３３はメタリングコックのダイヤル、３３ａは表示板、をそれぞれ示す。
【００２２】
駆動水ホース８は、吸口継手４と放口継手１とを連通させるバイパス管で、例えば、メッシュ入りのゴムホースなどの可撓管が用いられる。
【００２３】
次に、本実施形態の作動について説明する。
セッテング：
可搬ポンプ装置ｐｄにおいて消火水に、界面活性剤などの消火薬剤を混合する場合には、例えば、次の順番で可搬ポンプｐにポンプロポーションナー装置ｐｐをセットする。但し、このセッテングの順番は、必要に応じて変更されることは勿論である。
【００２４】
なお、火災現場での組み立て時間を節約するため、通常、ポンププロポーショナー装置ｐｐは、予め組み立てられて保管されている。
【００２５】
可搬ポンプ装置ｐｄの吸口４ａに吸口継手４の吸口接続部４ｂを接続し、該継手４の吸管接続部４ｃに水源と連通する吸管１４を接続する。
又、放口１ａに放口接続部１ｂを接続し、該継手１の消防ホース接続部１ｃにノズル３５を備えた消防ホース１６を接続する。
【００２６】
吸口継手４のプロポーショナー接続部４ｄにプロポーショナー本体２のねじ部２ａを螺着し、該本体２のメタリング接続継手５にメタリングコック２０を接続する。
【００２７】
消火薬剤の混合比が３％の混合消火剤を得るように求められている場合には、前記メタリングコック２０の接続口２２ｂにピックアップチューブ８を接続し、他方の接続口２２ａは、閉止蓋２４で閉鎖する。
【００２８】
放口継手１に駆動水開閉コック１０を装着し、該駆動水コック１０の入口側ホース取付部１０ａに駆動水ホース９の一端を接続し、その他端を前記プロポーショナー本体２の出口側ホース取付部２ｂに連結し、バイパスを形成する。
【００２９】
所定量の界面活性剤などの消火薬剤を消火薬剤タンク３４に充填した後、前記タンク３４内に前記ピックアップチューブ８の自由端８ａを挿入し、前記消火薬剤中に位置させる。
【００３０】
ポンプ駆動前の操作：
前記駆動水開閉コック１０及びメタリングコック２０を閉にする。
この様にするのは、ポンプｐを始動させたときに、ポンプｐの一次側を真空にし、確実に消火水を揚げることができる様にするためである。
【００３１】
即ち、駆動水開閉コック１０だけを閉にし、メタリングコック２０を開にしておくと、例えば、何らかの原因で、ピックアップチューブ８の自由端が消火薬剤タンク３４の液面から離れたりすると、このピックアップチューブ８を介してポンプｐの一次側に空気が吸い込まれることになる。そのため、確実に水を揚げるためには、メタリングコック２０も閉にすることが必要となる。
【００３２】
ポンプ駆動後の操作：
ポンプｐを始動させると、ポンプｐの一次側が真空状態になり、水源の消火水は吸管１４を通って吸口４ａに到達し、二次側の放口１ａから消防ホース１６を通ってノズル３５から放水される（水揚げ完了）。
【００３３】
この様に消火水があがり、ポンプｐの一次側から２次側に流れたら、前記駆動水開閉コック１０及びメタリングコック２０を開にする。この時、ダイヤル３３を回し、表示板３３ａの目盛の３％を混合比設定マーク３２ｂにあわせると、放水量５００Ｌ／min.に対して、消火薬剤吸引量  約１５.２Ｌ／min.となり、混合比３．１％、を得ることができる様に設定される。
【００３４】
そうすると、放口１ａ側の消火水ｗの一部は、駆動水ホース９を通って吸口４ａに流れ込み、所謂バイパスによる消火水の循環が始まる。
この状態では、プロポーショナー本体２の中間部２ｍにおいてノズル３により、負圧が発生し吸引力が発生している。
【００３５】
そのため、消火薬剤タンク３４内の消火薬剤ｍは、ピックアップチューブ８、メタリングコック２０を通って前記中間部（吸引混合部）２ｍに流れ込み、駆動水ｗに混合されるので、混合消火剤ｗｍが生成される。
この混合消火剤ｗｍは、ポンプｐの回転により放口１ａ側に圧送され、消火水ｗと混合されながら消防ホース１６を通りノズル３５から泡B状態で放出される。
【００３６】
上記実施の形態では、消火薬剤ｍの混合比が３％の混合消火剤を得る場合について説明したが、その混合比が０．２２〜０．１％の混合消火剤を得たい場合には、図７に示すように、ピックアップチューブ８を接続口２２ａに接続し、接続口２２ｂを閉止蓋２４で閉鎖する。
【００３７】
この場合もダイヤル３３ａを操作して、表示板３３ａの目盛りI、II、IIIと混合比設定マーク３２ａとを合わせるが、この表示板３３ａの各目盛りは、次の様な意味を持っている。
目盛  I ：  消火薬剤吸引量  約０．４８Ｌ／min.  
放    水    量  ５０〜５００Ｌ／min.
混    合    比  約０．９６〜０．１％
目盛  II：  消火薬剤吸引量  約１．２６Ｌ／min.  
放    水    量  ４５０〜１２００Ｌ／min.
混    合    比  約０．２８〜０．１％
目盛  III： 消火薬剤吸引量  約２．２３Ｌ／min.  
放    水    量  １０００〜２０００L／min.
混    合    比  約０．２２〜０．１％
目盛３％泡：消火薬剤吸引量 約１５．２Ｌ/min.  
放    水    量  ５００Ｌ／min.
混    合    比  約３.１％
【図面の簡単な説明】
【００３８】
【図１】本発明の実施の態様の一部を示す拡大一部断面図である。
【図２】本発明の実施の態様の他の一部を示す拡大一部断面図である。
【図３】メタリングコックのダイヤルの拡大側面図である。
【図４】使用状態を示す平面図である。
【図５】使用状態を示す正面図である。
【図６】メタリングコックの拡大縦断面図である。
【図７】メタリングコックの他の使用例の拡大縦断面図である。
【図８】本発明の使用状態を示すフローチャートである。
【符号の説明】
【００３９】
１      放口継手
１ａ    放口
２      プロポーショナー本体
２ｍ    中間部
４      吸口継手
４ａ    吸口
８      ピックアップチューブ
９      駆動水ホース
１０    駆動水開閉コック
１４    吸管
２０    メタリングコック
２０ａ  メタリングコック本体
２２ａ  ピックアップチューブの接続口
２２ｂ  ピックアップチューブの接続口
３０    可搬ポンプ装置
３４    消火薬剤タンク
ｐ      ポンプ
ｐｄ    可搬ポンプ装置
ｐｐ    ポンププロポーショナー装置
【図１】
0005036438.tif 000002
【図２】
0005036438.tif 000003
【図３】
0005036438.tif 000004
【図４】
0005036438.tif 000005
【図５】
0005036438.tif 000006
【図６】
0005036438.tif 000007
【図７】
0005036438.tif 000008
【図８】
0005036438.tif 000009